(57)【特許請求の範囲】
【請求項１】
スクリーンユニットと、光学ユニットとを備えるプロジェクションユニットのキャビネットであって、
前記スクリーンユニットが設けられた矩形状の枠体と、
前記枠体の上辺部分と第１連結手段を介して連結された端部を有し、自身に固定された反射ミラーが前記光学ユニットからの光を前記スクリーンユニットに向けて反射する第１位置と、前記枠体内に収容される第２位置とを含むように前記第１連結手段を支点に回動可能な天パネルと、
前記枠体の下辺部分と第２連結手段を介して連結された端部を有し、前記光学ユニットが配置可能な第１位置と、前記枠体内に収容される第２位置とを含むように前記第２連結手段を支点に回動可能な底パネルと、
前記枠体の左辺部分と第３連結手段を介して連結された端部を有し、それぞれが前記第１位置にある前記天パネル及び前記底パネルの左端部と接触する第１位置と、前記枠体内に収容された前記天パネル及び前記底パネルの左面を覆う第２位置とを含むように前記第３連結手段を支点に回動可能な左側パネルと、
前記枠体の右辺部分と第４連結手段を介して連結された端部を有し、それぞれが前記第１位置にある前記天パネル及び前記底パネルの右端部と接触する第１位置と、前記枠体内に収容された前記天パネル及び前記底パネルの右面を覆う第２位置とを含むように前記第４連結手段を支点に回動可能な右側パネルと
を備え、
前記左側パネルにおける、前記第３連結手段が設けられた端部と反対側の端部には第１及び第２穴が設けられ、
前記右側パネルにおける、前記第４連結手段が設けられた端部と反対側の端部には第３及び第４穴が設けられ、
前記天パネルにおける、前記第１連結手段が設けられた端部と反対側の端部には、前記第１及び第３穴とそれぞれ係止可能な第１及び第２スライドラッチとが設けられ、
前記底パネルにおける、前記第２連結手段が設けられた端部と反対側の端部には、前記第２及び第４穴とそれぞれ係止可能な第３及び第４スライドラッチとが設けられているプロジェクションユニットのキャビネット。
【請求項２】
請求項１に記載のプロジェクションユニットのキャビネットであって、
前記底パネルは、前記枠体と連結された第１底パネルと、前記枠体と前記第１底パネルを介して連結された第２底パネルとを備え、
前記第１及び第２底パネルは、一方が他方に対して屈曲可能となっており、
前記底パネルが前記第１位置にある場合には前記第２底パネルが水平配置され、前記光学ユニットが当該第２底パネル上に配置される、プロジェクションユニットのキャビネット。
【請求項３】
前記天パネル及び前記底パネルがそれぞれ前記第１位置にある請求項１または請求項２に記載のプロジェクションユニットのキャビネットと、
前記枠体に固定されたスクリーンユニットと、
前記底パネル上に配置された光学ユニットと
を備える、プロジェクションユニット。
【請求項４】
請求項３に記載のプロジェクションユニットを複数備え、
複数の前記プロジェクションユニットは、それぞれの前記キャビネットの前記天パネル、前記底パネル、前記左側パネル及び前記右側パネルが前記第１位置にある状態で、縦及び横方向に配置され、
前記複数のプロジェクションユニットのうち、縦方向に互いに隣接して配置された任意の二つのプロジェクションユニットに関し、上側のプロジェクションユニットの前記左側パネル及び前記右側パネルは、下側のプロジェクションユニットの前記左側パネル及び前記右側パネルにそれぞれ積載されている、マルチビジョン装置。
【発明の詳細な説明】
【技術分野】
【０００１】
本発明は、スクリーンユニットに映像を投写するプロジェクションユニット、そのキャビネット、及び、マルチビジョン装置に関するものである。
【背景技術】
【０００２】
イベント会場や展示会において大画面表示を行う場合に、５０〜８０インチサイズのプロジェクションユニットを縦及び横方向に複数組合せて大画面を構成するマルチビジョン装置が利用されるようになってきている。プロジェクションユニットの一種であるリアプロジェクションユニットにおいては、内部に設けられた投射ユニットからの映像がスクリーン背面に向けて投射されることにより、当該映像がスクリーンに表示される。リアプロジェクションユニットのキャビネットにおいては、投射映像の光路を遮らないように内部に空洞が設けられている。しかし、当該空洞は、輸送時や保管時には無駄な空間となっていた。
【０００３】
そこで、特許文献１に記載の技術では、キャビネットの筐体を前後半分に分割し、後半分の筐体をスライドして前半分の筐体に収容可能となっている。この技術によれば、輸送時や保管時等において、キャビネットの厚さを半分にすることにより、その容積を半分に低減することが可能となっている。
【先行技術文献】
【特許文献】
【０００４】
【特許文献１】特開平８−１３０６９７号公報
【発明の概要】
【発明が解決しようとする課題】
【０００５】
しかしながら、例えば搬送時において、プロジェクションユニットのキャビネットを狭い通路や扉に通すことができるように、また、トラックやコンテナへの積載効率を高めて輸送コストを低減することができるように、さらに容積を削減することが求められている。また、特許文献１に開示されたプロジェクションユニットでは、容積を半分に低減できるが、投射ユニットとスクリーンとの間の距離が大きい直接投射方式であることから、容積が十分小さくなるものではなかった。
【０００６】
そこで、本発明は、上記のような問題点を鑑みてなされたものであり、映像を表示する必要がない場合に、プロジェクションユニットのキャビネットの容積を小さくすることが可能な技術を提供することを目的とする。
【課題を解決するための手段】
【０００７】
本発明に係るプロジェクションユニットのキャビネットは、スクリーンユニットと、光学ユニットとを備えるプロジェクションユニットのキャビネットであって、前記スクリーンユニットが設けられた矩形状の枠体を備える。そして、前記枠体の上辺部分と第１連結手段を介して連結された端部を有し、自身に固定された反射ミラーが前記光学ユニットからの光を前記スクリーンユニットに向けて反射する第１位置と、前記枠体内に収容される第２位置とを含むように前記第１連結手段を支点に回動可能な天パネルを備える。そして、前記枠体の下辺部分と第２連結手段を介して連結された端部を有し、前記光学ユニットが配置可能な第１位置と、前記枠体内に収容される第２位置とを含むように前記第２連結手段を支点に回動可能な底パネルを備える。そして、前記枠体の左辺部分と第３連結手段を介して連結された端部を有し、それぞれが前記第１位置にある前記天パネル及び前記底パネルの左端部と接触する第１位置と、前記枠体内に収容された前記天パネル及び前記底パネルの左面を覆う第２位置とを含むように前記第３連結手段を支点に回動可能な左側パネルを備える。そして、前記枠体の右辺部分と第４連結手段を介して連結された端部を有し、それぞれが前記第１位置にある前記天パネル及び前記底パネルの右端部と接触する第１位置と、前記枠体内に収容された前記天パネル及び前記底パネルの右面を覆う第２位置とを含むように前記第４連結手段を支点に回動可能な右側パネルを備える。前記左側パネルにおける、前記第３連結手段が設けられた端部と反対側の端部には第１及び第２穴が設けられ、前記右側パネルにおける、前記第４連結手段が設けられた端部と反対側の端部には第３及び第４穴が設けられ、前記天パネルにおける、前記第１連結手段が設けられた端部と反対側の端部には、前記第１及び第３穴とそれぞれ係止可能な第１及び第２スライドラッチとが設けられ、前記底パネルにおける、前記第２連結手段が設けられた端部と反対側の端部には、前記第２及び第４穴とそれぞれ係止可能な第３及び第４スライドラッチとが設けられている。
【発明の効果】
【０００８】
本発明によれば、天パネル、底パネル、左側パネル及び右側パネルが折り畳まれると、キャビネットの奥行き寸法を大きく低減することができることから、キャビネットの容積を低減することができる。
【図面の簡単な説明】
【０００９】
【図１】実施の形態１に係るプロジェクションユニットの構成を示す斜視図である。
【図２】実施の形態１に係るマルチビジョン装置の構成を示す斜視図である。
【図３】実施の形態１に係るキャビネットの構成を示す斜視図である。
【図４】実施の形態１に係るキャビネットの構成を示す側面断面図である。
【図５】実施の形態１に係るキャビネットの構成を示す側面断面図である。
【図６】実施の形態１に係るキャビネットが折り畳まれた状態を示す斜視図である。
【図７】実施の形態１に係るキャビネットが折り畳まれた状態を示す側面断面図である。
【図８】天パネルが折り畳まれた状態を示す斜視図である。
【図９】底パネルが折り畳まれた状態を示す斜視図である。
【発明を実施するための形態】
【００１０】
＜実施の形態１＞
図１は、本実施の形態に係るプロジェクションユニットの構成についてその一部を分解した状態を示す斜視図である。以下、本実施の形態に係るプロジェクションユニット９０の前後方向、左右方向、上下方向を、それぞれＸ軸方向、Ｙ軸方向及びＺ軸方向とするＸＹＺ直交座標系（図１参照）を適宜使用しながら説明する。
【００１１】
図１に示されるように、プロジェクションユニット９０は、光学ユニット１と、スクリーン２ａを有するスクリーンユニット２と、背面カバー３と、キャビネット１０とを備える。このプロジェクションユニット９０では、光学ユニット１が、反射ミラー１１に向けて（＋Ｚ側に向けて）映像を投射し、反射ミラー１１が、当該映像をスクリーンユニット２の背面に向けて（−Ｘ側に向けて）反射することにより、スクリーンユニット２のスクリーン２ａに映像が表示される。
【００１２】
図２は、上記プロジェクションユニット９０を複数備えるマルチビジョン装置９１を示す図である。図２に示すように、縦及び横方向に配置された複数のプロジェクションユニット９０のスクリーンユニット２が、全体として一つの画面を構成することから、マルチビジョン装置９１は、その画面に大きな映像を表示することが可能となっている。なお、図２においては、４つのプロジェクションユニット９０が縦２段、横２列に配置された状態が示されているが、プロジェクションユニット９０の個数、及び、配列はこれに限ったものではない。
【００１３】
図１に戻って、プロジェクションユニット９０の構成について説明する。
【００１４】
キャビネット１０は、矩形状の枠体２０と、天パネル３０と、底パネル４０と、プロジェクションユニット９０を正面から見て左側（＋Ｙ側）に位置する左側パネル５０と、右側（−Ｙ側）に位置する右側パネル６０とを備える。スクリーンユニット２は、枠体２０の前面（−Ｘ側の面）に設けられており、背面カバー３は、天パネル３０、底パネル４０、左側パネル５０及び右側パネル６０の後側端部（＋Ｘ側端部）と脱着可能となっている。背面カバー３がキャビネット１０に取り付けられた場合には、スクリーンユニット２、背面カバー３及びキャビネット１０に囲まれる内部空間が形成される。光学ユニット１は、キャビネット１０と着脱可能となっており、プロジェクションユニット９０において映像が表示される場合には、当該内部空間における底パネル４０上に配置され、例えばプロジェクションユニット９０が搬送される場合には、当該内部空間の外部に取り出される。
【００１５】
図３は、本実施の形態に係るキャビネット１０の構造を示す斜視図であり、図４及び図５は、その側面断面図である。なお、図３においては、キャビネット１０の内部構造を分かりやすくするため、手前側に位置する右側パネル６０の側板の図示を省略している。以下、図３〜図５を用いてキャビネット１０の構造について説明する。
【００１６】
図３に示されるように、枠体２０は、平面視矩形状を有するとともに、Ｘ方向にある程度の厚みを有している。この枠体２０は、例えば、それぞれが断面形状として長方形状を有する４本の鋼管等が矩形に配置され、当該矩形の頂点４箇所において溶接されることにより形成される。
【００１７】
天パネル３０も同様に平面視矩形状を有している。この天パネル３０は、例えば４本のアルミ押出しフレームが矩形に配置され、当該矩形の頂点４箇所において接続されることにより形成される。天パネル３０の当該フレームには、矩形状の反射ミラー１１の周縁部を支持するミラー支持板金３１が固定されている。このミラー支持板金３１は、平面視において内側に矩形穴３１ａを有しており、当該矩形穴３１ａの周辺部分において、反射ミラー１１の周縁部を支持する。
【００１８】
反射ミラー１１は、矩形穴３１ａを覆うようにミラー支持板金３１上に配置された後、ミラーカバー３２によって覆われる。このミラーカバー３２には打ち抜き曲げ部３２ａが矩形の４辺に設けられている。このようなミラーカバー３２が反射ミラー１１を覆う際には、当該打ち抜き曲げ部３２ａが反射ミラー１１の端を保持するとともに、ミラー支持板金３１及びミラーカバー３２が反射ミラー１１を挟持することにより、反射ミラー４が天パネル３０に固定される。このように、本実施の形態に係るミラーカバー３２は、外力により反射ミラー１１が破損するのを防止する機能を有するとともに、反射ミラー１１を固定する機能を有している。
【００１９】
図４に示されるように、天パネル３０は、枠体２０の上側内壁（上辺部分）とヒンジ８０ａ（第１連結手段）を介して連結された前側フレーム３０ａ（−Ｘ側端部）を有しており、ヒンジ８０ａを支点にＹ軸周りに回動可能となっている。図３に戻って、天パネル３０における、ヒンジ８０ａが設けられた前側フレーム３０ａと反対側の＋Ｘ側端部には、スライドラッチ７０ａ及びスライドラッチ７０ｂが、左側端部（＋Ｙ側端部）及び右側端部（−Ｙ側端部）にそれぞれ設けられている。
【００２０】
第１スライドラッチたるスライドラッチ７０ａは、Ｙ方向にスライド可能なツマミを有しており、当該ツマミが＋Ｙ方向にスライドされると、スライドラッチ７０ａの凸部が天パネル３０の＋Ｙ側端を越えて外側に突出し、当該ツマミが−Ｙ方向にスライドされると、当該凸部がスライドラッチ７０ａ内に後退する。図４に示されるように、左側パネル５０の後側フレーム５０ｄ（＋Ｘ側端部）には角穴５０ａ（第１穴）が設けられており、スライドラッチ７０ａから突出した凸部が当該角穴５０ａに係止されると、天パネル３０が、その後側端部（＋Ｘ側端部）が下側に傾けられた状態で固定される。
【００２１】
同様に、第２スライドラッチたるスライドラッチ７０ｂは、Ｙ方向にスライド可能なツマミを有しており、当該ツマミが−Ｙ方向にスライドされると、スライドラッチ７０ｂの凸部が天パネル３０の−Ｙ側端を越えて外側に突出し、当該ツマミが＋Ｙ方向にスライドされると、当該凸部がスライドラッチ７０ｂ内に後退する。図５に示されるように、右側パネル６０の後側フレーム６０ｄ（＋Ｘ側端部）には角穴６０ａ（第３穴）が設けられており、スライドラッチ７０ｂから突出した凸部が当該角穴６０ａに係止されると、天パネル３０が、その後側端部（＋Ｘ側端部）が下側に傾けられた状態で固定される。
【００２２】
底パネル４０は、枠体２０と連結された第１底パネル４１と、枠体２０と第１底パネル４１を介して連結された第２底パネル４２とを備える。第１及び第２底パネル４１，４２はいずれも、平面視矩形状を有している。第１底パネル４１は、例えば矩形に配置された４本のアルミ押出しフレームが当該矩形の頂点４箇所において接続され、それによって形成される矩形構造内側の穴が底板４５により塞がれて形成される。同様に、第２パネル４２は、例えば矩形に配置された４本のアルミ押出しフレームが当該矩形の頂点４箇所において接続され、それによって形成される矩形構造内側の穴が底板４６により塞がれて形成される。第１及び第２底パネル４１，４２のフレーム４１ａ，４２ａは、ヒンジ８０ｂ（第２連結手段）を介して互いに連結されており、一方のパネルが他方のパネルに対してヒンジ８０ｂを支点にＹ軸周りに回動可能となっている。つまり、第１及び第２底パネル４１，４２は、一方が他方に対して屈曲可能となっている。
【００２３】
底パネル４０は、枠体２０の下側内壁（下辺部分）とヒンジ８０ｃ（連結手段）を介して連結された前側フレーム４１ｂ（−Ｘ側端部）を有しており、ヒンジ８０ｃを支点にＹ軸周りに回動可能となっている。なお、本実施の形態では、ヒンジ８０ｃを介して枠体２０と連結される前側フレーム４１ｂは、第１底パネル４１の前側フレーム４１ｂである。底パネル４０における、ヒンジ８０ｃが設けられた前側フレーム４１ｂと反対側の後側端部（＋Ｘ側端部）には、スライドラッチ７０ｃ及びスライドラッチ７０ｄが、左側端部（＋Ｙ側端部）及び右側端部（−Ｙ側端部）にそれぞれ設けられている。なお、本実施の形態では、スライドラッチ７０ｃ，７０ｄは、第２底パネル４２の後側端部（＋Ｘ側端部）に設けられている。
【００２４】
第３スライドラッチたるスライドラッチ７０ｃは、上述のスライドラッチ７０ａと同様の構成及び機能を有している。図４に示されるように、左側パネル５０の後側フレーム５０ｄ（＋Ｘ側端部）には角穴５０ｂ（第２穴）が設けられており、スライドラッチ７０ｃから突出した凸部が当該角穴５０ｂに係止されると、第１底パネル４１が、その後側端部（＋Ｘ側端部）が下側に傾けられた状態で固定されるとともに、第２底パネル４２が、ＸＹ平面と平行となる状態、つまり水平配置された状態で固定される。
【００２５】
第４スライドラッチたるスライドラッチ７０ｄは、上述のスライドラッチ７０ｂと同様の構成及び機能を有している。図５に示されるように、右側パネル６０の後側フレーム６０ｄ（＋Ｘ側端部）には角穴６０ｂ（第４穴）が設けられており、スライドラッチ７０ｄから突出した凸部が当該角穴６０ｂに係止されると、第１底パネル４１が、その後側端部（＋Ｘ側端部）が下側に傾けられた状態で固定されるとともに、第２底パネル４２が、ＸＹ平面と平行となる状態、つまり水平配置された状態で固定される。
【００２６】
左側パネル５０は、平面視矩形状を有している。この左側パネル５０は、例えば矩形に配置された４本のアルミ押出しフレームが当該矩形の頂点４箇所において接続され、それによって形成される矩形構造内側の穴が側板５５により塞がれて形成される。左側パネル５０の奥行き寸法（Ｘ方向の寸法）は、枠体２０の幅寸法（Ｙ方向の寸法）の半分以下となっている。
【００２７】
図４に示されるように、左側パネル５０は、枠体２０の左辺部分の後壁とヒンジ８０ｄ（第３連結手段）を介して連結された前側フレーム５０ｃ（−Ｘ側端部）を有しており、ヒンジ８０ｄを支点にＺ軸周りに回動可能となっている。本実施の形態では、左側パネル５０は、枠体２０の内側に位置する状態から、枠体２０にほぼ垂直となる状態まで回動可能となっており、それ以上の回動は枠体２０の当該後壁により妨げられる。また、左側パネル５０における、ヒンジ８０ｄが設けられた前側フレーム５０ｃと反対側の後側フレーム５０ｄ（＋Ｘ側端部）には、上述の角穴５０ａ（第１穴）、及び、上述の角穴５０ｂ（第２穴）が設けられている。
【００２８】
本実施の形態では、枠体２０、天パネル３０及び左側パネル５０の間に形成される三角形状の穴を塞ぐ略三角形状のカバー板金５６が、左側パネル５０の上側フレーム５０ｅの＋Ｚ側先端に取り付けられている。また、第１底パネル４１を支持する断面Ｌ字型の支持金具５７が左側パネル５０の側板５５に固定されているとともに、第２底パネル４２を支持する断面Ｌ字型の支持金具５８が、左側パネルの下側フレーム５０ｆ（−Ｚ側端部）に固定されている。これにより、−Ｚ方向への荷重に対する第２底パネル４２の固定強度が高まることから、ある程度荷重の大きい光学ユニット１を底パネル４０上に配置することができる。
【００２９】
図５に示される右側パネル６０は、図４に示される左側パネル５０と左右対称な構造であるため、主要な点についてのみ説明する。
【００３０】
図５に示されるように、右側パネル６０は、枠体２０の右辺部分の後壁とヒンジ８０ｅ（第４連結手段）を介して連結された前側フレーム６０ｃ（−Ｘ側端部）を有しており、ヒンジ８０ｅを支点にＺ軸周りに回動可能となっている。本実施の形態では、右側パネル６０は、枠体２０の内側に位置する状態から、枠体２０にほぼ垂直となる状態まで回動可能となっており、それ以上の回動は枠体２０の当該後壁により妨げられる。また、右側パネル６０における、ヒンジ８０ｅが設けられた前側フレーム６０ｃと反対側の後側フレーム６０ｄ（＋Ｘ側端部）には、上述の角穴６０ａ（第３穴）、及び、上述の角穴６０ｂ（第４穴）が設けられている。
【００３１】
なお、右側パネル６０は、左側パネル５０の側板５５に対応する側板６５を有しており、左側パネル５０と同様に、カバー板金５６、支持金具５７及び支持金具５８が設けられている。そして、右側パネル６０の奥行き寸法（Ｘ方向の寸法）は、枠体２０の幅寸法（Ｙ方向の寸法）の半分以下となっている。
【００３２】
図６は、以上において説明したキャビネット１０の天パネル３０、底パネル４０、左側パネル５０及び右側パネル６０が内側に折り畳まれた状態を示す斜視図であり、図７は、その状態を示す側面断面図である。本実施の形態に係るキャビネット１０では、天パネル３０、底パネル４０、左側パネル５０及び右側パネル６０を折り畳んで、キャビネット１０の容積を低減することが可能となっている。以下、キャビネット１０を、図３に示される組立状態から図６に示される折畳状態にする手順について説明する。
【００３３】
図８は、図３に示される組立状態において、天パネル３０が折り畳まれた状態を示す斜視図である。天パネル３０は、反射ミラー１１が光学ユニット１からの光をスクリーンユニット２に向けて反射する第１位置たる組立位置（図３）と、枠体２０内に収容される第２位置たる折畳位置（図８）とを含むように、ヒンジ８０ａを支点に回動可能となっている。したがって、図３に示される状態において、天パネル３０のスライドラッチ７０ａ，７０ｂを解除し、ヒンジ８０ａを支点に天パネル３０を組立位置から折畳位置まで回動すれば、図８に示されるように天パネル３０を枠体２０内に収容することができる。
【００３４】
なお、図４及び図５に示されるように、本実施の形態では、枠体２０の左側内壁及び右側内壁に角穴２０ａ，２０ｃがそれぞれ設けられており、天パネル３０が折畳位置にある場合に、スライドラッチ７０ａ，７０ｂの凸部が角穴２０ａ，２０ｃに係止されると、天パネル３０が折畳位置において固定されるものとなっている。
【００３５】
図９は、図８に示される状態において、底パネル４０が折り畳まれた状態を示す斜視図である。底パネル４０は、光学ユニット１が配置可能な第１位置たる組立位置（図８）と、枠体２０内に収容される第２位置たる折畳位置（図９）とを含むように、ヒンジ８０ｃを支点に回動可能となっている。したがって、図８に示される状態において、底パネル４０のスライドラッチ７０ｃ、７０ｄを解除し、ヒンジ８０ｃを支点に底パネル４０を組立位置から折畳位置まで回動すれば、図９に示されるように底パネル４０を枠体２０内に収容することができる。
【００３６】
また、底パネル４０が組立位置にある場合には、第２底パネル４２が水平配置され、光学ユニット１が当該第２底パネル４２上に配置される。これにより、光学ユニット１と反射ミラー１１とを所望の距離だけ互いに離間させた状態で光学ユニット１をキャビネット１０内に配置させることができる。
【００３７】
なお、本実施の形態では、底パネル４０は第１及び第２底パネル４１，４２から構成されていることから、底パネル４０が枠体２０内に収容される際には、第１底パネル４１及び第２底パネル４２が同一面となるように、第２底パネル４２が第１底パネル４１に対して回動される。また、図４及び図５に示されるように、本実施の形態では、枠体２０の左側内壁及び右側内壁に角穴２０ｂ、２０ｄがそれぞれ設けられており、底パネル４０が折畳位置にある場合に、スライドラッチ７０ｃ，７０ｄの凸部が角穴２０ｂ，２０ｄに係止されると、底パネル４０が折畳位置において固定されるものとなっている。
【００３８】
図９に示される状態において、左側パネル５０及び右側パネル６０を折り畳むと、図６に示した折畳状態となる。左側パネル５０は、それぞれが組立位置にある天パネル３０及び底パネル４０の左端部（＋Ｙ側端部）と接触する第１位置たる組立位置（図３）と、枠体２０内に収容された天パネル３０及び底パネル４０の左面（＋Ｙ側の面）を覆う第２位置たる折畳位置（図６）とを含むようにヒンジ８０ｄを支点に回動可能となっている。同様に、右側パネル６０は、それぞれが組立位置にある天パネル３０及び底パネル４０の右端部（−Ｙ側端部）と接触する第１位置たる組立位置（図３）と、枠体２０内に収容された天パネル３０及び底パネル４０の右面（−Ｙ側の面）を覆う第２位置たる折畳位置（図６）とを含むようにヒンジ８０ｅを支点に回動可能となっている。
【００３９】
以上、キャビネット１０を、組立状態から折畳状態にする手順について説明したが、折畳状態から組立状態にする場合には、これと逆の手順を行えばよい。
【００４０】
以上のような本実施の形態に係るプロジェクションユニット９０及びそのキャビネット１０によれば、天パネル３０、底パネル４０、左側パネル５０及び右側パネル６０が折り畳まれる。この折り畳みによって、幅と高さ（Ｙ及びＺ方向の寸法）は変化しないが、キャビネットの奥行き寸法（Ｘ方向の寸法）を大きく低減することができることから、キャビネット１０の容積を大きく低減することができる。したがって、キャビネット１０を狭い通路や扉に通すことができ、また、トラックやコンテナへの積載効率を高めて輸送コストを低減することができる。
【００４１】
なお、実際に適用したところ、キャビネット１０の奥行き寸法が、元の４分の１程度に低減され、容積も元の４分の１程度に低減できた。つまり、特許文献１に記載の技術よりも大きく容積を低減することができた。
【００４２】
また、本実施の形態に係るプロジェクションユニット９０のキャビネット１０によれば、スライドラッチ７０ａ〜７０ｄにより、天パネル３０、底パネル４０、左側パネル５０及び右側パネル６０が組立位置に固定される。したがって、工具等を別途使用しなくても容易にキャビネット１０を組み立てることができる。
【００４３】
なお、マルチビジョン装置９１について再度説明すると、図２に示されるように、複数のプロジェクションユニット９０が、それぞれのキャビネット１０の天パネル３０、底パネル４０、左側パネル５０及び右側パネル６０を組立位置にした状態で縦及び横方向に配置されている。そして、複数のプロジェクションユニット９０のうち、縦方向に互いに隣接して配置された任意の二つのプロジェクションユニット９０に関し、上側のプロジェクションユニット９０の左側パネル５０及び右側パネル６０は、下側のプロジェクションユニット９０の左側パネル５０及び右側パネル６０にそれぞれ積載されている。
【００４４】
このようなマルチビジョン装置９１によれば、左側パネル５０（縦方向に延在する前側及び後側フレーム５０ｃ，５０ｄ）と、右側パネル（縦方向に延在する前側及び後側フレーム６０ｃ，６０ｄ）とが柱となることから、上側のプロジェクションユニット９０の荷重に対して十分な強度を有することができる。
【符号の説明】
【００４５】
１  光学ユニット、２  スクリーンユニット、１０  キャビネット、１１  反射ミラー、２０  枠体、３０  天パネル、４０  底パネル、４１  第１底パネル、４２  第２底パネル、５０  左側パネル、５０ａ，５０ｂ，６０ａ，６０ｂ  角穴、６０  右側パネル、７０ａ〜７０ｄ  スライドラッチ、８０ａ〜８０ｅ  ヒンジ、９０  プロジェクションユニット、９１  マルチビジョン装置。
【図１】
0005542572.tif 000002
【図２】
0005542572.tif 000003
【図３】
0005542572.tif 000004
【図４】
0005542572.tif 000005
【図５】
0005542572.tif 000006
【図６】
0005542572.tif 000007
【図７】
0005542572.tif 000008
【図８】
0005542572.tif 000009
【図９】
0005542572.tif 000010